(57)【要約】  Ｃｅｌｌ＿ＦＡＣＨ状態およびアイドルモードで拡張専用チャネル（Ｅ−ＤＣＨ）トランスポートフォーマットコンビネーション（Ｅ−ＴＦＣ）を選択するための方法および装置を開示する。無線送信／受信ユニット（ＷＴＲＵ）は、ランダムアクセスチャネル（ＲＡＣＨ）プリアンブルを送信して、そのＲＡＣＨプリアンブルに応答するＥ−ＤＣＨリソースのインデックスを受信する。ＷＴＲＵは、最大ＷＴＲＵ送信電力、電力オフセット値、および最後に首尾よく送信されたＲＡＣＨプリアンブル送信電力に基づいて、電力ヘッドルームを推定できる。ＷＴＲＵは、推定された電力ヘッドルームに基づいてＥ−ＴＦＣを制限して、サポートされたＥ−ＴＦＣのセットに基づいてＥ−ＴＦＣ選択する。ＷＴＲＵは、選択されたＥ−ＴＦＣに基づいてプロトコルデータユニット（ＰＤＵ）を作り出して送信する。
2011515960.tif 000002
【特許請求の範囲】
【請求項１】
Ｃｅｌｌ＿ＦＡＣＨ状態およびアイドルモードで電力ヘッドルームを推定するための方法であって、
無線送信／受信ユニット（ＷＴＲＵ）が電力オフセット値を受信するステップと、
前記ＷＴＲＵがランダムアクセスチャネル（ＲＡＣＨ）プリアンブルを送信するステップと、
前記ＷＴＲＵは、ＷＴＲＵ最大送信電力、前記オフセット値、および最後に送信されたＲＡＣＨプリアンブル送信電力に基づいて電力ヘッドルームを推定するステップと
を備えることを特徴とする方法。
【請求項２】
前記電力ヘッドルームは、前記ＷＴＲＵ最大送信電力から前記電力オフセットと前記最後に送信されたＲＡＣＨプリアンブル送信電力とを引くことによって推定されることを特徴とする請求項１に記載の方法。
【請求項３】
前記ＷＴＲＵは、電力ランプアップ中にＲＡＣＨプリアンブルが送信される度に前記電力ヘッドルームを推定することを特徴とする請求項１に記載の方法。
【請求項４】
前記ＷＴＲＵは、前記推定された電力ヘッドルームを含むスケジューリング情報をネットワークに送ることをさらに備えることを特徴とする請求項１に記載の方法。
【請求項５】
前記ＷＴＲＵが前記ＲＡＣＨプリアンブルに応答する拡張専用チャネル（Ｅ−ＤＣＨ）リソースのインデックスを受信するステップと、
前記ＷＴＲＵは、前記推定された電力ヘッドルームに基づいてＥ−ＤＣＨトランスポートフォーマットコンビネーション（Ｅ−ＴＦＣ）制限を行って、サポートされたＥ−ＴＦＣのセットを判定するステップと、
前記ＷＴＲＵが前記サポートされたＥ−ＴＦＣのセットからＥ−ＴＦＣを選択するステップと、
前記ＷＴＲＵが前記選択されたＥ−ＴＦＣに基づいてプロトコルデータユニット（ＰＤＵ）を作り出すステップと、
前記ＷＴＲＵは、前記ＰＤＵを送信するステップと
をさらに備えることを特徴とする請求項１に記載の方法。
【請求項６】
前記ＷＴＲＵは、前記インデックスの受信の後に続いてあらかじめ決められた継続時間に前記電力ヘッドルームを推定することを特徴とする請求項５に記載の方法。
【請求項７】
前記ＷＴＲＵは、電力ランプアップ中にＲＡＣＨプリアンブルが送信される度に前記電力ヘッドルームを推定し、Ｅ−ＴＦＣ制限を行うことを特徴とする請求項５に記載の方法。
【請求項８】
前記ＷＴＲＵは、電力ランプアップ中にＲＡＣＨプリアンブルが送信される度に前記電力ヘッドルームを推定し、Ｅ−ＴＦＣ制限を行い、Ｅ−ＴＦＣを選択することを特徴とする請求項５に記載の方法。
【請求項９】
前記ＷＴＲＵは、電力ランプアップ中にＲＡＣＨプリアンブルが送信される度に前記電力ヘッドルームを推定し、Ｅ−ＴＦＣ制限を行い、Ｅ−ＴＦＣを選択し、ＰＤＵを作り出すことを特徴とする請求項５に記載の方法。
【請求項１０】
前記ＷＴＲＵは、ＲＡＣＨプリアンブル送信の後に続いて第１のＥ−ＤＣＨ送信に対する前記推定された電力ヘッドルームに基づいて、前記Ｅ−ＴＦＣ制限を行うことを特徴とする請求項５に記載の方法。
【請求項１１】
ランダムアクセスチャネル（ＲＡＣＨ）プリアンブルを送信して、前記ＲＡＣＨプリアンブルに応答する拡張専用チャネル（Ｅ−ＤＣＨ）リソースのインデックスを受信して、およびＣｅｌｌ＿ＦＡＣＨ状態またはアイドルモードで選択されたＥ−ＴＦＣを使用してＥ−ＤＣＨ送信を送信するように構成される送信／受信ユニットと、
ＷＴＲＵ最大送信電力、電力オフセット値、および最後に送信されたＲＡＣＨプリアンブル送信電力に基づいて、Ｃｅｌｌ＿ＦＡＣＨ状態またはアイドルモードで電力ヘッドルームを推定するように構成されるコントローラと
を備えることを特徴とする無線送信／受信ユニット（ＷＴＲＵ）。
【請求項１２】
前記コントローラは、前記ＷＴＲＵ最大送信電力から前記電力オフセットと前記最後に送信されたＲＡＣＨプリアンブル送信電力とを引くことによって前記電力ヘッドルームを推定するように構成されることを特徴とする請求項１１に記載のＷＴＲＵ。
【請求項１３】
前記コントローラは、電力ランプアップ中にＲＡＣＨプリアンブルが送信される度に前記電力ヘッドルームを推定するように構成されることを特徴とする請求項１１に記載のＷＴＲＵ。
【請求項１４】
前記コントローラは、前記推定された電力ヘッドルームを含むスケジューリング情報をネットワークに送るように構成されることを特徴とする請求項１１に記載のＷＴＲＵ。
【請求項１５】
前記コントローラは、前記推定された電力ヘッドルームに基づいてＥ−ＴＦＣ制限を行ってサポートされたＥ−ＴＦＣのセットを判定して、前記サポートされたＥ−ＴＦＣのセットからＥ−ＴＦＣを選択して、および前記選択されたＥ−ＴＦＣに基づいてプロトコルデータユニット（ＰＤＵ）を作り出すように構成されることを特徴とする請求項１１に記載のＷＴＲＵ。
【請求項１６】
前記コントローラは、前記インデックスの受信の後に続いてあらかじめ決められた継続時間に前記電力ヘッドルームを推定するように構成されることを特徴とする請求項１５に記載のＷＴＲＵ。
【請求項１７】
前記コントローラは、電力ランプアップ中にＲＡＣＨプリアンブルが送信される度に前記電力ヘッドルームを推定して、およびＥ−ＴＦＣ制限を行うように構成されることを特徴とする請求項１５に記載のＷＴＲＵ。
【請求項１８】
前記コントローラは、電力ランプアップ中にＲＡＣＨプリアンブルが送信される度に前記電力ヘッドルームを推定して、Ｅ−ＴＦＣ制限を行っておよびＥ−ＴＦＣを選択するように構成されることを特徴とする請求項１５に記載のＷＴＲＵ。
【請求項１９】
前記コントローラは、電力ランプアップ中にＲＡＣＨプリアンブルが送信される度に前記電力ヘッドルームを推定して、Ｅ−ＴＦＣ制限を行って、Ｅ−ＴＦＣを選択して、およびＰＤＵを作り出すように構成されることを特徴とする請求項１５に記載のＷＴＲＵ。
【請求項２０】
前記コントローラは、ＲＡＣＨプリアンブル送信の後に続いて第１のＥ−ＤＣＨ送信に対する前記推定された電力ヘッドルームに基づいて、前記Ｅ−ＴＦＣ制限を行うように構成されることを特徴とする請求項１５に記載のＷＴＲＵ。
【発明の詳細な説明】
【技術分野】
【０００１】
本出願は、無線通信に関する。
【背景技術】
【０００２】
高速パケットアクセス（high speed packet access：ＨＳＰＡ）システムに適用できる３ＧＰＰ（third generation partnership project）リリース８の作業項目の部分として、無線送信／受信ユニット（wireless transmit/receive unit：ＷＴＲＵ）がＣＥＬＬ＿ＦＡＣＨ状態またはアイドルモードで拡張専用チャネル（Ｅ−ＤＣＨ）上で送信可能であることが最近提案されている。ＷＴＲＵは、ＣＥＬＬ＿ＦＡＣＨまたはアイドルモードで拡張ランダムアクセスチャネル（enhanced random access channel：Ｅ−ＲＡＣＨ）アクセスまたはＥ−ＤＣＨと呼ばれるＣＥＬＬ＿ＤＣＨ状態に遷移せずに、Ｅ−ＤＣＨリソースを選ぶ（tap）ことが可能である。
【０００３】
Ｅ−ＲＡＣＨアクセスは、ランダムアクセスチャネル（ＲＡＣＨ）プリアンブル送信フェーズとＥ−ＤＣＨ送信フェーズとの組み合わせである。図１はＥ−ＲＡＣＨアクセス手順を示す。ＲＡＣＨプリアンブル送信フェーズは、Ｅ−ＲＡＣＨに使用するためにノードＢが指定したまたは報知したＲ９９  ＲＡＣＨ署名のサブセットを使用する。ノードＢによるプリアンブルの受信は、捕捉表示チャネル（acquisition indication channel：ＡＩＣＨ）で肯定応答され、そのチャネルはまた、使用する共有Ｅ−ＤＣＨリソースのインデックスをＷＴＲＵに割り当てる。共有Ｅ−ＤＣＨリソースは、ＣＥＬＬ＿ＦＡＣＨ状態またはアイドルモードでＥ−ＲＡＣＨアクセスに使用するためにノードＢによってあらかじめ指定される。すべての共有Ｅ−ＤＣＨリソースに対して、初期セットアップまたはセル内のＷＴＲＵに報知する時に、パラメータがノードＢによってＷＴＲＵに提供される。各Ｅ−ＤＣＨリソースは、Ｅ−ＲＡＣＨアクセスに対する肯定応答部分としてまたは他のシグナリング機構を用いて送信されるインデックスと関連付けられる。ひとたびＷＴＲＵがインデックス値を受信すると、割り当てられた共有Ｅ−ＤＣＨリソースに関連するすべての構成パラメータが認識されて、ＷＴＲＵは、起こり得る同期期間の後に送信を開始できる。
【０００４】
Ｅ−ＤＣＨ（リリース６以上）において、ＷＴＲＵは、情報ビット数を選択して、あらかじめ定義されたルールのセットに基づいて送信時間間隔（transmission time interval：ＴＴＩ）ごとに送信する。概念的に、この手順は多くのステップを含む。最初に、ＷＴＲＵは、それがデータ送信用に使用することができる電力量を判定する。そのため、ＷＴＲＵは、最大送信電力と専用物理制御チャネル（dedicated physical control channel：ＤＰＣＣＨ）電力との比率として定義されるＷＴＲＵの電力ヘッドルームを測定する。最大送信電力は、そのＷＴＲＵにおいて周知のパラメータである。それは、ＷＴＲＵのカテゴリによって判定されるか、またはネットワークによって信号が送られる。従って、ＷＴＲＵがＤＰＣＣＨ電力を推定する度に、ＷＴＲＵは、電力ヘッドルーム推定を計算することができる。この状況において、電力ヘッドルーム推定とＤＰＣＣＨ電力推定とは、直接関係する。ＤＰＣＣＨ電力がネットワークからの電力制御コマンドに応答するすべての無線スロットの変動に従うので、ＷＴＲＵは、１ＴＴＩ期間にＤＰＣＣＨスロットに関する電力推定をフィルタする（即ち、２マイクロ秒ＴＴＩに３無線スロット、１０マイクロ秒ＴＴＩに１５無線スロット）。第２のステップにおいて、ＷＴＲＵは、この電力ヘッドルームを使用して、送信に使用することができるトランスポートフォーマットのセットを判定する。それはまた、サポートされたＥ−ＤＣＨトランスポートフォーマットコンビネーション（Ｅ−ＴＦＣ）のセットとも呼ばれる。サポートされたＥ−ＴＦＣのセット内にあるＥ−ＴＦＣは、サポートされた状態であると言える。このステップを、Ｅ−ＴＦＣ制限（restriction）と呼ぶことができる。最後に、ＷＴＲＵは、サービンググラント、非スケジュールグラント、参照Ｅ−ＴＦＣ、ハイブリッド自動再送要求（hybrid automatic repeat request：ＨＡＲＱ）プロファイル、多重化リスト等に基づいて（最大限サポートされたＥ−ＴＦＣまでの）各ＭＡＣ−ｄフローから来るＴＴＩに何ビットが送信されるかを判定する。このステップは、３ＧＰＰ仕様においてＥ−ＴＦＣ選択と呼ばれる。
【０００５】
ＷＴＲＵがＣＥＬＬ＿ＦＡＣＨ状態またはアイドルモードでＥ−ＤＣＨ送信を開始する時、ＷＴＲＵは、電力ヘッドルームを認識できない、またはＥ−ＤＣＨ専用物理データチャネル（Ｅ−ＤＰＤＣＨ）送信の開始に間に合うようにＥ−ＴＦＣ選択機能とプロトコルデータユニット（ＰＤＵ）生成手順とを実施するのに十分正確な電力ヘッドルームを推定することができない。従って、その時点の前に、ＷＴＲＵにＥ−ＴＦＣ選択機能とＰＤＵ生成手順とを行うことができるようにする電力ヘッドルーム推定の方法を提供するのが望ましいであろう。ＵＥ送信電力ヘッドルーム（ＵＰＨ）測定を報告するための推定方法を、その測定が十分信頼できると見なされる前の、ＵＰＨを含むスケジューリング情報（ＳＩ）が送信される時に提供するのがさらに望ましい。
【発明の概要】
【０００６】
Ｃｅｌｌ＿ＦＡＣＨ状態およびアイドルモードでＥ−ＴＦＣを選択するための方法および装置を開示する。ＷＴＲＵは、ＲＡＣＨプリアンブルを送信して、ＲＡＣＨプリアンブルに応答するＥ−ＤＣＨリソースのインデックスを受信する。ＷＴＲＵは、最大ＷＴＲＵ送信電力、電力オフセット値、および最後に送信されたＲＡＣＨプリアンブル送信電力に基づいて電力ヘッドルームを推定できる。ＷＴＲＵは、推定された電力ヘッドルームに基づいてＥ−ＴＦＣを制限して、サポートされたＥ−ＴＦＣのセットに基づいてＥ−ＴＦＣを選択する。ＷＴＲＵは、次に、選択されたＥ−ＴＦＣに基づいてプロトコルデータユニット（ＰＤＵ）を作り出して送信する。
【０００７】
あるいは、ＷＴＲＵは、ダウンリンク測定、アップリンク雑音、および干渉レベルに基づいて電力ヘッドルームを推定できる。ダウンリンク測定を、共通パイロットチャネル（common pilot channel：ＣＰＩＣＨ）の受信信号コード電力（received signal code power：ＲＳＣＰ）測定とすることができる。あるいは、ＷＴＲＵは、デフォルトサービンググラント内の最小Ｅ−ＴＦＣセットからＥ−ＴＦＣを選択できる。あるいは、ＷＴＲＵは、すべてのＥ−ＴＦＣが無線条件とは無関係に第１のＮのＥ−ＤＣＨ送信に使用できると推測するＥ−ＴＦＣを選択できる。
【図面の簡単な説明】
【０００８】
添付図面と共に例として与えられた以下の説明から詳細な理解を得ることができる。
【図１】Ｅ−ＲＡＣＨアクセス手順を示す図である。
【図２】第２の実施形態に係る、電力ヘッドルームを推定する、並びにＣｅｌｌ＿ＦＡＣＨ状態およびアイドルモードでＥ−ＴＦＣを選択する例示的なプロセスのフロー図である。
【図３】一実施形態に係る、例示的なＷＴＲＵのブロック図である。
【発明を実施するための形態】
【０００９】
本明細書で言及される場合、用語「ＷＴＲＵ」は、ユーザ機器（ＵＥ）、移動局、固定式または移動式加入者ユニット、ページャー、携帯電話、個人用携帯情報端末（ＰＤＡ）、コンピュータ、または無線環境において動作できる他の種類のユーザデバイスを含むが、これに限らない。また、用語「基地局」は、ノードＢ、サイトコントローラ、アクセスポイント（ＡＰ）、または無線環境において動作できる他の種類のインタフェースデバイスを含むが、これに限らない。それと共に、Ｅ−ＴＦＣ制限とＥ−ＴＦＣ選択とを、以下Ｅ−ＴＦＣ選択機能と呼ぶ。
【００１０】
本明細書で開示される実施形態は、ＷＴＲＵにおいて初期のＷＴＲＵ電力ヘッドルーム情報がない場合の電力ヘッドルーム推定とＥ−ＴＦＣの選択とに関する。当該実施形態は、３ＧＰＰ  ＨＳＰＡ無線通信システムおよびその他の無線通信システムに適用できる。
【００１１】
第１の実施形態に従って、ＷＴＲＵは、ダウンリンク測定およびアップリンク干渉レベルに基づいて電力ヘッドルームの推定を判定するように構成される。アップリンク干渉レベル情報はノードＢから信号が送られる、またはＷＴＲＵによって推測することができる。ＷＴＲＵは、以下のようにＷＴＲＵ電力ヘッドルームの推定を判定できる。
【００１２】
Power_Headroom=Max_WTRU_Tx_Power＋CPICH_RSCP-Uplink_Noise_plus_Interference＋K
式（１）
【００１３】
Ｍａｘ＿ＷＴＲＵ＿Ｔｘ＿Ｐｏｗｅｒは、ＷＴＲＵの最大送信電力であり、ＣＰＩＣＨ＿ＲＳＣＰは、アクセスされるセルの共通パイロットチャネル（ＣＰＩＣＨ）の受信信号コード電力（ＲＳＣＰ）であり、Ｕｐｌｉｎｋ＿Ｎｏｉｓｅ＿ｐｌｕｓ＿Ｉｎｔｅｒｆｅｒｅｎｃｅは、基地局アンテナの熱雑音と干渉との和であり、Ｋは、あらかじめ決められた定数で、その値は異なる状況でもあまり変化しない因子（例えば、求められるＤＰＣＣＨの信号対干渉比率（signal-to-interference：ＳＩＲ）、マージン等）に依存する。式（１）のすべての変数はｄＢで表される。ＣＰＩＣＨ＿ＲＳＣＰをレイヤ３でフィルタされて、高速フェージングに起因する変動を減少させることができる。レイヤ３は、第１の物理層と第２の媒体アクセス制御（ＭＡＣ）層の上の階層の処理層である。Ｕｐｌｉｎｋ＿Ｎｏｉｓｅ＿ｐｌｕｓ＿Ｉｎｔｅｒｆｅｒｅｎｃｅ値は、ノードＢにおける最大雑音上昇の控えめな推定に基づいてあらかじめ決めることができる、またはシステム情報を介してノードＢによって信号を送ることができる。
【００１４】
ひとたびＷＴＲＵが電力ヘッドルームの推定を判定すると、ＷＴＲＵは、その電力ヘッドルーム推定に基づいて、および任意にはシステム情報を介して信号が送られたデフォルトグラントに基づいてＥ−ＴＦＣ選択機能（Ｅ−ＴＦＣ制限とＥ−ＴＦＣ選択とを含む）を実行できる。選択されたＥ−ＴＦＣは、ＰＤＵ生成および送信に使用される。任意には、第１のＥ−ＤＣＨ送信は、この手法をＥ−ＴＦＣ選択に使用して、後に続く送信は、通常の電力ヘッドルーム推定をＥ−ＴＦＣ選択機能に使用できる。
【００１５】
ＷＴＲＵは、Ｅ−ＤＣＨ初期送信か、または以下の継続時間のいずれか１つもしくはその組み合わせに対する第１の実施形態に従って電力ヘッドルームを推定できる。  
（１）第１のＮのＥ−ＤＣＨ送信。  
（２）第１のＭの送信時間間隔（transmission time interval：ＴＴＩ）またはその他のあらかじめ決められた時間単位（例えば、無線スロット、フレーム等）。  
（３）第１のＫのＤＰＣＣＨスロット、またはノードＢに送られるおよび／またはノードＢから受信される送信電力制御（transmit power control：ＴＰＣ）コマンド。  
（４）第１の実電力ヘッドルーム判定（即ち、ヘッドルームが実ＤＰＣＣＨ電力測定から計算される）、およびこの電力ヘッドルーム測定に基づくＥ−ＴＦＣ選択機能が完了するまで。ひとたびこのようなＥ−ＴＦＣが選択されると、ＷＴＲＵは、通常のＥ−ＴＦＣ選択機能を再開できる。
【００１６】
第２の実施形態に従って、ＷＴＲＵは、ＲＡＣＨプリアンブルに使用される送信電力に基づいてＷＴＲＵ電力ヘッドルームを推定するように構成されて、推定された電力ヘッドルームを使用してＥ−ＴＦＣ選択機能を行うように構成される。図２は、第２の実施形態に従って電力ヘッドルームを推定する、およびＣｅｌｌ＿ＦＡＣＨ状態およびアイドルモードでＥ−ＴＦＣを選択する例示的なプロセス２００のフロー図である。ＷＴＲＵは、ネットワークから電力オフセット値を受信できる（ステップ２０２）。電力オフセット値をあらかじめ決めることができる。ＷＴＲＵは、電力ランプアップを実行する間にＲＡＣＨプリアンブルを送信する（ステップ２０４）。ＷＴＲＵは、ＷＴＲＵ最大送信電力、電力オフセット値、および最後に送信されたＲＡＣＨプリアンブル送信電力に基づいて電力ヘッドルームを推定する（ステップ２０６）。
【００１７】
電力ヘッドルームを以下のように計算できる。
【００１８】
Power_Headroom=Max_WTRU_Tx_Power−Preamble_Tx_Power−Offset        式（２）
【００１９】
Ｐｒｅａｍｂｌｅ＿Ｔｘ＿Ｐｏｗｅｒは、最後に首尾よく送信されたＲＡＣＨプリアンブルの送信電力であり、Ｏｆｆｓｅｔは、あらかじめ決められたまたはシステム情報を介して信号を送ることができる電力オフセットである。式（２）のすべての変数はｄＢで表される。
【００２０】
ひとたびＷＴＲＵが電力ヘッドルームの推定を判定すると、ＷＴＲＵは、その電力ヘッドルーム推定に基づいて、および任意にはシステム情報を介して信号が送られたデフォルトグラントに基づいてＥ−ＴＦＣ選択機能（Ｅ−ＴＦＣ制限とＥ−ＴＦＣ選択）を実行できる（ステップ２０８）。選択されたＥ−ＴＦＣは、次にＰＤＵ生成および送信に使用される。任意には、第１のＥ−ＤＣＨ送信は、この手法をＥ−ＴＦＣ選択に使用して、後に続く送信は、通常の電力ヘッドルーム推定をＥ−ＴＦＣ選択機能に使用できる。
【００２１】
ＷＴＲＵがＡＩＣＨ上で肯定応答（ＡＣＫ）を受信する時、Ｅ−ＤＣＨリソースが割り付けられて、ＷＴＲＵは、Ｅ−ＴＦＣ選択機能に対応するＲＡＣＨプリアンブルの送信電力に基づいて推定された電力ヘッドルームを使用する。選択されたＥ−ＴＦＣは、Ｅ−ＤＣＨ初期送信のＰＤＵ生成に使用される。
【００２２】
あるいは、ＷＴＲＵは、電力ランプアップ中にＲＡＣＨプリアンブルが送信される度に電力ヘッドルーム推定を実施できる。ＷＴＲＵは、電力ヘッドルームの最終値を使用してＥ−ＴＦＣ選択機能を実施して、Ｅ−ＤＣＨ初期送信のためにＰＤＵを生成する。
【００２３】
あるいは、ＷＴＲＵは、電力ランプアップ中にＲＡＣＨプリアンブルが送信される度に電力ヘッドルーム推定とＥ−ＴＦＣ制限とを実施できる。ＷＴＲＵは、サポートされたＥ−ＴＦＣの最終セットを使用して、Ｅ−ＴＦＣ選択とＥ−ＤＣＨ送信のＰＤＵ生成とを実施する。
【００２４】
あるいは、ＷＴＲＵは、電力ランプアップ中にＲＡＣＨプリアンブルが送信される度に電力ヘッドルーム推定とＥ−ＴＦＣ機能（Ｅ−ＴＦＣ制限とＥ−ＴＦＣ選択とを含む）とを実施できる。ＷＴＲＵは、選択されたＥ−ＴＦＣを使用して、Ｅ−ＤＣＨ送信のＰＤＵを生成する。
【００２５】
あるいは、ＷＴＲＵは、電力ランプアップ中にＲＡＣＨプリアンブルが送信される度に電力ヘッドルーム推定とＥ−ＴＦＣ機能（Ｅ−ＴＦＣ制限とＥ−ＴＦＣ選択とを含む）とＰＤＵ生成とを実施できる。ＷＴＲＵは、Ｅ−ＤＣＨ送信のために生成された最終ＰＤＵを使用する。
【００２６】
ＷＴＲＵは、Ｅ−ＤＣＨ初期送信か、または以下の継続時間のいずれか１つもしくはその組み合わせに対する第２の実施形態に従って電力ヘッドルームを推定できる。  
（１）第１のＮのＥ−ＤＣＨ送信。  
（２）第１のＭのＴＴＩまたはその他のあらかじめ決められた時間単位（例えば、無線スロット、フレーム等）。  
（３）第１のＫのＤＰＣＣＨスロット、またはノードＢに送られるおよび／またはノードＢから受信されるＴＰＣコマンド。  
（４）第１の実電力ヘッドルーム判定（即ち、ヘッドルームが実ＤＰＣＣＨ電力測定から計算される）、およびこの電力ヘッドルーム測定に基づくＥ−ＴＦＣ選択機能が完了するまで。ひとたびこのようなＥ−ＴＦＣが選択されると、ＷＴＲＵは、通常のＥ−ＴＦＣ選択機能を再開できる。
【００２７】
ＷＴＲＵは、実電力ヘッドルームが低信頼であると見なされる間に（例えば、ＣＥＬＬ＿ＦＡＣＨでの第１のまたは最初の２、３のＥ−ＤＣＨ送信、またはあらかじめ決められた継続時間）スケジューリング情報（ＳＩ）がトリガされた場合、第１または第２の実施形態に従って推定された電力ヘッドルームを使用してＵＥ電力ヘッドルーム（UE power headroom：ＵＰＨ）を報告する。
【００２８】
第３の実施形態に従って、ＷＴＲＵは、最小Ｅ−ＴＦＣセットからＥ−ＴＦＣを選択するように構成される。最小Ｅ−ＴＦＣセットは、あらかじめ組み込まれるまたはネットワークによって信号が送られる。ＷＴＲＵは、Ｅ−ＤＣＨ初期送信か、または電力ヘッドルームとは無関係に以下の継続時間のいずれか１つもしくはその組み合わせに対する最小Ｅ−ＴＦＣセットからＥ−ＴＦＣを選択する。  
（１）第１のＮのＥ−ＤＣＨ送信。  
（２）第１のＭのＴＴＩまたはその他のあらかじめ決められた時間単位（例えば、無線スロット、フレーム等）。  
（３）第１のＫのＤＰＣＣＨスロット、またはノードＢに送られるおよび／またはノードＢから受信されるＴＰＣコマンド。  
（４）第１の実電力ヘッドルーム判定（即ち、ヘッドルームが実ＤＰＣＣＨ電力測定から計算される）、およびこの電力ヘッドルーム測定に基づくＥ−ＴＦＣ選択機能が完了するまで。ひとたびこのようなＥ−ＴＦＣが選択されると、ＷＴＲＵは、通常のＥ−ＴＦＣ選択機能を再開できる。
【００２９】
最小Ｅ−ＴＦＣセットをあらかじめ決めるまたはシステム情報を介して信号を送ることができる。ＷＴＲＵは、最小Ｅ−ＴＦＣセットから最小値を選ぶことができる。あるいは、ＷＴＲＵは、上述の実施形態に従って推定された電力ヘッドルームに基づいておよび／またはＷＴＲＵが送信に使用できるデータ量に基づいてより高位のＥ−ＴＦＣ値を選ぶことができる。最小Ｅ−ＴＦＣセットから選択された値は、システム情報ブロック（ＳＩＢ）で提供されたデフォルトグラントよりも高位のグラントに対応できない。
【００３０】
ＷＴＲＵがＥ−ＤＣＨリソースと関連付けられたＥ−ＡＧＣＨ（E-DCH absolute grant channel）を介してノードＢから新しい絶対グラントを受信するまで、またはＷＴＲＵがその現在のサービンググラントの増大を示すＥ−ＲＧＣＨ（E-DCH relative grant channel）を介して相対グラントを受信するまで最小Ｅ−ＴＦＣセットを適用できる。あるいは、衝突が解決されるまで最小Ｅ−ＴＦＣを適用できる。共通制御チャネル（common control channel：ＣＣＣＨ）送信に対して最小Ｅ−ＴＦＣをその送信継続時間に適用できる。
【００３１】
第４の実施形態において、ＷＴＲＵは、電力ヘッドルームが、実無線条件とは無関係に初期のＥ−ＴＦＣ選択（またはＮの第１のＥ−ＴＦＣ選択またはＮの第１のＴＴＩ）に用いる計算にＥ−ＴＦＣを制限しないと推測するように構成される。言い換えれば、ＷＴＲＵは、初期またはＮの第１のＥ−ＴＦＣ選択に用いるＥ−ＴＦＣの計算において、デフォルトグラントの制限内のすべてのＥ−ＴＦＣがサポートされた状態である（即ち、Ｅ−ＴＦＣ制限自体がない）と推測する。ＷＴＲＵは、電力ヘッドルームの実判定が使用できるとすぐに通常の動作を継続する（即ち、Ｅ−ＴＦＣ制限が実施される結果、起こり得るすべてのＥ−ＴＦＣがサポートされた状態であるとは限らない）。
【００３２】
ＷＴＲＵは、Ｅ−ＤＣＨ初期送信か、または以下の継続時間のいずれか１つもしくはその組み合わせに対する第４の実施形態に従ってＥ−ＴＦＣを選択できる。  
（１）第１のＮのＥ−ＤＣＨ送信。  
（２）第１のＭのＴＴＩまたはその他のあらかじめ決められた時間単位（例えば、無線スロット、フレーム等）。  
（３）第１のＫのＤＰＣＣＨスロット、またはノードＢに送られるおよび／またはノードＢから受信されるＴＰＣコマンド。  
（４）第１の実電力ヘッドルーム判定（即ち、ヘッドルームが実ＤＰＣＣＨ電力測定から計算される）、およびこの電力ヘッドルーム測定に基づくＥ−ＴＦＣ選択機能が完了するまで。ひとたびこのようなＥ−ＴＦＣが選択されると、ＷＴＲＵは、通常のＥ−ＴＦＣ選択機能を再開できる。
【００３３】
図３は、一実施形態に従った例示的なＷＴＲＵ３００のブロック図である。ＷＴＲＵ３００は、送信／受信ユニット３０２、コントローラ３０４、および測定ユニット３０６を含む。送信／受信ユニット３０２は、ＲＡＣＨプリアンブルを送信して、ＲＡＣＨプリアンブルに応答するＥ−ＤＣＨリソースのインデックスを受信して、選択されたＥ−ＴＦＣを使用してＥ−ＤＣＨ送信を作り出すように構成される。コントローラ３０４は、上記に開示した実施形態のいずれか１つに従ってＥ−ＴＦＣを選択するように構成される。コントローラ３０４は、ＷＴＲＵ最大送信電力、測定ユニット３０６によって作り出されたダウンリンク測定値、アップリンク雑音および干渉レベルに基づいて計算された推定電力ヘッドルームに基づいてＥ−ＴＦＣを選択できる。あるいは、コントローラ３０４は、ＷＴＲＵ最大送信電力、電力オフセット値、および最後に送信されたＲＡＣＨプリアンブル送信電力に基づいて計算された推定電力ヘッドルームに基づいてＥ−ＴＦＣを選択できる。あるいは、コントローラ３０４は、デフォルトサービンググラント内の最小Ｅ−ＴＦＣセットからＥ−ＴＦＣを選択できる。あるいは、コントローラ３０４は、すべてのＥ−ＴＦＣが、デフォルトグラント内の無線条件とは無関係に第１のＮのＥ−ＤＣＨ送信に使用できると推測してＥ−ＴＦＣを選択できる。
【００３４】
[実施形態]
１、Ｃｅｌｌ＿ＦＡＣＨ状態およびアイドルモードで電力ヘッドルームを推定するための方法。
２、ＷＴＲＵが電力オフセット値を受信することを備えることを特徴とする実施形態１に記載の方法。
３、前記ＷＴＲＵがＲＡＣＨプリアンブルを送信することを備えることを特徴とする実施形態２に記載の方法。
４、前記ＷＴＲＵが、ＷＴＲＵ最大送信電力、前記電力オフセット値、および最後に送信されたＲＡＣＨプリアンブル送信電力に基づいて電力ヘッドルームを推定することを備えることを特徴とする実施形態３に記載の方法。
５、前記電力ヘッドルームは、前記ＷＴＲＵ最大送信電力から前記電力オフセットと前記最後に送信されたＲＡＣＨプリアンブル送信電力とを引くことによって推定されることを特徴とする実施形態４に記載の方法。
６、前記ＷＴＲＵは、電力ランプアップ中にＲＡＣＨプリアンブルが送信される度に前記電力ヘッドルームを推定することを特徴とする実施形態４および５のいずれかにおける方法。
７、前記ＷＴＲＵは、前記推定された電力ヘッドルームを含むスケジューリング情報をネットワークに送ることを備えることを特徴とする実施形態４乃至６のいずれかにおける方法。
８、前記ＷＴＲＵは、前記ＲＡＣＨプリアンブルに応答するＥ−ＤＣＨリソースのインデックスを受信することをさらに備えることを特徴とする実施形態４乃至７のいずれかにおける方法。
９、前記ＷＴＲＵは、前記推定された電力ヘッドルームに基づいてＥ−ＴＦＣ制限を行ってサポートされたＥ−ＴＦＣのセットを判定することを備えることを特徴とする実施形態８に記載の方法。
１０、前記ＷＴＲＵが、前記サポートされたＥ−ＴＦＣのセットからＥ−ＴＦＣを選択することを備えることを特徴とする実施形態９に記載の方法。
１１、前記ＷＴＲＵは、前記選択されたＥ−ＴＦＣに基づいてプロトコルデータユニット（ＰＤＵ）を作り出すことを備えることを特徴とする実施形態１０に記載の方法。
１２、前記ＷＴＲＵが前記ＰＤＵを送信することを備えることを特徴とする実施形態１１に記載の方法。
１３、前記ＷＴＲＵは、前記インデックスの受信の後に続いてあらかじめ決められた継続時間に前記電力ヘッドルームを推定することを特徴とする実施形態８乃至１２のいずれかにおける方法。
１４、前記ＷＴＲＵは、電力ランプアップ中にＲＡＣＨプリアンブルが送信される度に前記電力ヘッドルームを推定し、Ｅ−ＴＦＣ制限を行うことを特徴とする実施形態９乃至１３のいずれかにおける方法。
１５、前記ＷＴＲＵは、電力ランプアップ中にＲＡＣＨプリアンブルが送信される度に前記電力ヘッドルームを推定し、Ｅ−ＴＦＣ制限を行い、Ｅ−ＴＦＣを選択することを特徴とする実施形態１０乃至１４のいずれかにおける方法。
１６、前記ＷＴＲＵは、電力ランプアップ中にＲＡＣＨプリアンブルが送信される度に前記電力ヘッドルームを推定し、Ｅ−ＴＦＣ制限を行い、Ｅ−ＴＦＣを選択し、ＰＤＵを作り出すことを特徴とする実施形態１１乃至１５のいずれかにおける方法。
１７、前記ＷＴＲＵは、ＲＡＣＨプリアンブル送信の後に続いて第１のＥ−ＤＣＨ送信に対する前記推定された電力ヘッドルームに基づいて、前記Ｅ−ＴＦＣ制限を行うことを特徴とする実施形態９乃至１６のいずれかにおける方法。
１８、Ｃｅｌｌ＿ＦＡＣＨ状態およびアイドルモードで電力ヘッドルームを推定するためのＷＴＲＵ。
１９、ＲＡＣＨプリアンブルを送信して、前記ＲＡＣＨプリアンブルに応答するＥ−ＤＣＨリソースのインデックスを受信して、および選択されたＥ−ＴＦＣを使用してＥ−ＤＣＨ送信を送信するように構成される送信／受信ユニットを備えることを特徴とする実施形態１８に記載のＷＴＲＵ。
２０、ＷＴＲＵ最大送信電力、電力オフセット値、および最後に送信されたＲＡＣＨプリアンブル送信電力に基づいて電力ヘッドルームを推定するように構成されるコントローラを備えることを特徴とする実施形態１９に記載のＷＴＲＵ。
２１、前記コントローラは、前記ＷＴＲＵ最大送信電力から前記電力オフセットと前記最後に送信されたＲＡＣＨプリアンブル送信電力とを引くことによって前記電力ヘッドルームを推定するように構成されることを特徴とする実施形態２０に記載のＷＴＲＵ。
２２、前記コントローラは、電力ランプアップ中にＲＡＣＨプリアンブルが送信される度に前記電力ヘッドルームを推定するように構成されることを特徴とする実施形態２０および２１のいずれかにおけるＷＴＲＵ。
２３、前記コントローラは、前記推定された電力ヘッドルームを含むスケジューリング情報をネットワークに送るように構成されることを特徴とする実施形態２０乃至２２のいずれかにおけるＷＴＲＵ。
２４、前記コントローラは、前記推定された電力ヘッドルームに基づいてＥ−ＴＦＣ制限を行ってサポートされたＥ−ＴＦＣのセットを判定して、前記サポートされたＥ−ＴＦＣのセットからＥ−ＴＦＣを選択して、および前記選択されたＥ−ＴＦＣに基づいてＰＤＵを作り出すように構成されることを特徴とする実施形態２０乃至２３のいずれかにおけるＷＴＲＵ。
２５、前記コントローラは、前記インデックスの受信の後に続いてあらかじめ決められた継続時間に前記電力ヘッドルームを推定するように構成されることを特徴とする実施形態２３および２４のいずれかにおけるＷＴＲＵ。
２６、前記コントローラは、電力ランプアップ中にＲＡＣＨプリアンブルが送信される度に前記電力ヘッドルームを推定して、およびＥ−ＴＦＣ制限を行うように構成されることを特徴とする実施形態２３乃至２５のいずれかにおけるＷＴＲＵ。
２７、前記コントローラは、電力ランプアップ中にＲＡＣＨプリアンブルが送信される度に前記電力ヘッドルームを推定して、Ｅ−ＴＦＣ制限を行って、およびＥ−ＴＦＣを選択するように構成されることを特徴とする実施形態２３乃至２６のいずれかにおけるＷＴＲＵ。
２８、前記コントローラは、電力ランプアップ中にＲＡＣＨプリアンブルが送信される度に前記電力ヘッドルームを推定して、Ｅ−ＴＦＣ制限を行って、Ｅ−ＴＦＣを選択して、およびＰＤＵを作り出すように構成されることを特徴とする実施形態２３乃至２７のいずれかにおけるＷＴＲＵ。
２９、前記コントローラは、ＲＡＣＨプリアンブル送信の後に続いて第１のＥ−ＤＣＨ送信に対する前記推定された電力ヘッドルームに基づいて、前記Ｅ−ＴＦＣ制限を行うように構成されることを特徴とする実施形態２３乃至２８のいずれかにおけるＷＴＲＵ。
【００３５】
特徴および要素を特定の組み合わせにおいて上述しているが、各特徴または要素を、他の特徴および要素を用いずに単独で、または他の特徴および要素の有無にかかわらずさまざまな組み合わせにおいて用いることができる。本明細書で与えられた方法またはフローチャートを、汎用コンピュータまたはプロセッサによって実行するためにコンピュータ可読記憶媒体に組み込まれたコンピュータプログラム、ソフトウェア、またはファームウェアに実装できる。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、ＣＤ−ＲＯＭディスクなどの光磁気媒体、ならびにデジタル多用途ディスク（ＤＶＤ）などの光媒体を含む。
【００３６】
適切なプロセッサは、例を挙げると、汎用プロセッサ、専用プロセッサ、標準プロセッサ、デジタル信号プロセッサ（ＤＳＰ）、複数のマイクロプロセッサ、ＤＳＰコアと連動する１または複数のマイクロプロセッサ、コントローラ、マイクロコントローラ、ＡＳＩＣ、ＦＰＧＡ回路、他の種類の集積回路（ＩＣ）および／またはステートマシンを含む。
【００３７】
ソフトウェアと関連するプロセッサを用いて、無線送受信ユニット（ＷＴＲＵ）、ユーザ機器（ＵＥ）、端末機、基地局、無線ネットワークコントローラ（ＲＮＣ）、または任意のホストコンピュータに用いるために無線周波数トランシーバを実装できる。ＷＴＲＵを、カメラ、ビデオカメラモジュール、ビデオフォン、スピーカフォン、振動デバイス、スピーカ、マイクロフォン、テレビトランシーバ、ハンズフリーヘッドセット、キーボード、ブルートゥースモジュール、周波数変調（ＦＭ）無線ユニット、液晶画面（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）またはウルトラワイドバンド（ＵＷＢ）モジュールなどのハードウェアおよび／またはソフトウェアに実装されるモジュールとともに用いることができる。
【図１】
2011515960.tif 000003
【図２】
2011515960.tif 000004
【図３】
2011515960.tif 000005
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
Ｃｅｌｌ＿ＦＡＣＨ状態およびアイドルモードで拡張専用チャネル（Ｅ−ＤＣＨ）送信に対する電力ヘッドルームを推定する方法であって、
前記方法は、
無線送信／受信ユニット（ＷＴＲＵ）が電力オフセット値を受信するステップと、
前記ＷＴＲＵがランダムアクセスチャネル（ＲＡＣＨ）プリアンブルを送信するステップと、
前記ＷＴＲＵが、ＷＴＲＵ最大送信電力、前記オフセット値、および最後に送信されたＲＡＣＨプリアンブル送信電力に基づいて、Ｅ−ＤＣＨ送信に対する電力ヘッドルームを推定するステップと
を含むことを特徴とする方法。
【請求項２】
前記電力ヘッドルームは、前記ＷＴＲＵ最大送信電力から前記電力オフセット値と前記最後に送信されたＲＡＣＨプリアンブル送信電力とを引くことによって推定されることを特徴とする請求項１に記載の方法。
【請求項３】
前記ＷＴＲＵは、電力ランプアップ中にＲＡＣＨプリアンブルが送信される度に前記電力ヘッドルームを推定することを特徴とする請求項１に記載の方法。
【請求項４】
前記ＷＴＲＵが前記推定された電力ヘッドルームを含むスケジューリング情報をネットワークに送るステップをさらに含むことを特徴とする請求項１に記載の方法。
【請求項５】
前記ＷＴＲＵが前記ＲＡＣＨプリアンブルに応答する拡張専用チャネル（Ｅ−ＤＣＨ）リソースのインデックスを受信するステップと、
前記ＷＴＲＵが、前記推定された電力ヘッドルームに基づいてＥ−ＤＣＨトランスポートフォーマットコンビネーション（Ｅ−ＴＦＣ）制限を行って、サポートされたＥ−ＴＦＣのセットを判定するステップと、
前記ＷＴＲＵが前記サポートされたＥ−ＴＦＣのセットからＥ−ＴＦＣを選択するステップと、
前記ＷＴＲＵが記選択されたＥ−ＴＦＣに基づいてプロトコルデータユニット（ＰＤＵ）を作り出すステップと、
前記ＷＴＲＵが前記ＰＤＵを送信するステップと
をさらに含むことを特徴とする請求項１に記載の方法。
【請求項６】
前記ＷＴＲＵは、前記インデックスの受信の後に続いてあらかじめ決められた継続時間に前記電力ヘッドルームを推定することを特徴とする請求項５に記載の方法。
【請求項７】
前記ＷＴＲＵが、電力ランプアップ中にＲＡＣＨプリアンブルが送信される度に前記電力ヘッドルームを推定し、Ｅ−ＴＦＣ制限を行うことを特徴とする請求項５に記載の方法。
【請求項８】
前記ＷＴＲＵは、電力ランプアップ中にＲＡＣＨプリアンブルが送信される度に前記電力ヘッドルームを推定し、Ｅ−ＴＦＣ制限を行い、Ｅ−ＴＦＣを選択することを特徴とする請求項５に記載の方法。
【請求項９】
前記ＷＴＲＵは、電力ランプアップ中にＲＡＣＨプリアンブルが送信される度に前記電力ヘッドルームを推定し、Ｅ−ＴＦＣ制限を行い、Ｅ−ＴＦＣを選択し、ＰＤＵを作り出すことを特徴とする請求項５に記載の方法。
【請求項１０】
前記ＷＴＲＵは、ＲＡＣＨプリアンブル送信の後に続いて第１のＥ−ＤＣＨ送信に対する前記推定された電力ヘッドルームに基づいて、前記Ｅ−ＴＦＣ制限を行うことを特徴とする請求項５に記載の方法。
【請求項１１】
ランダムアクセスチャネル（ＲＡＣＨ）プリアンブルを送信し、前記ＲＡＣＨプリアンブルに応答する拡張専用チャネル（Ｅ−ＤＣＨ）リソースのインデックスを受信し、Ｃｅｌｌ＿ＦＡＣＨ状態またはアイドルモードで選択されたＥ−ＴＦＣを使用してＥ−ＤＣＨ送信を送信するように構成される送信／受信ユニットと、
ＷＴＲＵ最大送信電力、電力オフセット値、および最後に送信されたＲＡＣＨプリアンブル送信電力に基づいて、Ｃｅｌｌ＿ＦＡＣＨ状態またはアイドルモードでＥ−ＤＣＨ送信に対する電力ヘッドルームを推定するように構成されるコントローラと
を備えることを特徴とする無線送信／受信ユニット（ＷＴＲＵ）。
【請求項１２】
前記コントローラは、前記ＷＴＲＵ最大送信電力から前記電力オフセット値と前記最後に送信されたＲＡＣＨプリアンブル送信電力とを引くことによって前記電力ヘッドルームを推定するように構成されることを特徴とする請求項１１に記載のＷＴＲＵ。
【請求項１３】
前記コントローラは、電力ランプアップ中にＲＡＣＨプリアンブルが送信される度に前記電力ヘッドルームを推定するように構成されることを特徴とする請求項１１に記載のＷＴＲＵ。
【請求項１４】
前記コントローラは、前記推定された電力ヘッドルームを含むスケジューリング情報をネットワークに送るように構成されることを特徴とする請求項１１に記載のＷＴＲＵ。
【請求項１５】
前記コントローラは、前記推定された電力ヘッドルームに基づいてＥ−ＴＦＣ制限を行ってサポートされたＥ−ＴＦＣのセットを判定し、前記サポートされたＥ−ＴＦＣのセットからＥ−ＴＦＣを選択し、前記選択されたＥ−ＴＦＣに基づいてプロトコルデータユニット（ＰＤＵ）を作り出すように構成されることを特徴とする請求項１１に記載のＷＴＲＵ。
【請求項１６】
前記コントローラは、前記インデックスの受信の後に続いてあらかじめ決められた継続時間に前記電力ヘッドルームを推定するように構成されることを特徴とする請求項１５に記載のＷＴＲＵ。
【請求項１７】
前記コントローラは、電力ランプアップ中にＲＡＣＨプリアンブルが送信される度に前記電力ヘッドルームを推定し、Ｅ−ＴＦＣ制限を行うように構成されることを特徴とする請求項１５に記載のＷＴＲＵ。
【請求項１８】
前記コントローラは、電力ランプアップ中にＲＡＣＨプリアンブルが送信される度に前記電力ヘッドルームを推定し、Ｅ−ＴＦＣ制限を行い、Ｅ−ＴＦＣを選択するように構成されることを特徴とする請求項１５に記載のＷＴＲＵ。
【請求項１９】
前記コントローラは、電力ランプアップ中にＲＡＣＨプリアンブルが送信される度に前記電力ヘッドルームを推定し、Ｅ−ＴＦＣ制限を行い、Ｅ−ＴＦＣを選択し、ＰＤＵを作り出すように構成されることを特徴とする請求項１５に記載のＷＴＲＵ。
【請求項２０】
前記コントローラは、ＲＡＣＨプリアンブル送信の後に続いて第１のＥ−ＤＣＨ送信に対する前記推定された電力ヘッドルームに基づいて、前記Ｅ−ＴＦＣ制限を行うように構成されることを特徴とする請求項１５に記載のＷＴＲＵ。
【国際調査報告】
2011515960.tif 000006
2011515960.tif 000007
2011515960.tif 000008